(57)【要約】【課題】広告タイトルの再生終了後に本編タイトルの再生に移行する手順が記録されているディスクの場合にも、直ちに本編タイトルの再生を開始する。【解決手段】本編再生手順により示されるビデオタイトルを本編再生手順により示される順序に従って再生する再生制御手段２０を備えた構成において、ＤＶＤ７に記録された複数のビデオタイトルのうちから再生時間が最も長いビデオタイトルである最長タイトルを検出する最長タイトル検出手段２１を備え、再生制御手段２０は、本編タイトルを優先して再生する指示である本編優先指示が入力されたときには、本編再生手順において最初に再生することが示されているビデオタイトルが最長タイトルとはなっていないときにも、最長タイトルの再生を最初に行う。【選択図】  図１
2005071419.tif 000002
【特許請求の範囲】
【請求項１】
複数のビデオタイトルが記録されるとともに本編再生となるときに再生するビデオタイトルと再生の順序とを示す本編再生手順が記述されたＤＶＤの本編再生を行うときには、本編再生手順により示されるビデオタイトルを本編再生手順により示される順序に従って再生する再生制御手段を備えたＤＶＤ再生装置において、
リモートコントローラに設けられた本編サーチキーと、
ＤＶＤに記録された複数のビデオタイトルのうちから再生時間が最も長いビデオタイトルである最長タイトルを検出する最長タイトル検出手段とを備え、
再生制御手段は、
本編再生手順において最長タイトルより先に再生することを指示されたビデオタイトルを広告タイトルとみなすとともに、広告タイトルの再生を開始したときにはディスクを識別するディスク識別子を再生済情報エリアに記憶し、
且つ、本編サーチキーが操作されたときには、ローディングされているディスクのディスク識別子が再生済情報エリアに記憶されている場合には、本編再生手順において最初に再生することが示されているビデオタイトルが最長タイトルとはなっていないときにも最長タイトルの再生を最初に行うとともに本編タイトルの再生を終了すると広告タイトルの再生に移行し、ローディングされているディスクのディスク識別子が再生済情報エリアに記憶されていない場合には、禁止された操作であることを示す表示を行うことを特徴とするＤＶＤ再生装置。
【請求項２】
複数のビデオタイトルが記録されるとともに本編再生となるときに再生するビデオタイトルと再生の順序とを示す本編再生手順が記述されたディスクの本編再生を行うときには、本編再生手順により示されるビデオタイトルを本編再生手順により示される順序に従って再生する再生制御手段を備えたディスク再生装置において、
ディスクに記録された複数のビデオタイトルのうちから再生時間が最も長いビデオタイトルである最長タイトルを検出する最長タイトル検出手段を備え、
再生制御手段は、本編タイトルを優先して再生する指示である本編優先指示が入力されたときには、本編再生手順において最初に再生することが示されているビデオタイトルが最長タイトルとはなっていないときにも、最長タイトルの再生を最初に行うことを特徴とするディスク再生装置。
【請求項３】
再生制御手段は、
本編再生手順において最長タイトルより先に再生することを指示されたビデオタイトルを広告タイトルとみなすとともに、広告タイトルの再生を開始したときにはディスクを識別するディスク識別子を再生済情報エリアに記憶し、
且つ、本編優先指示が入力されたとき、ローディングされているディスクのディスク識別子が再生済情報エリアに記憶されている場合には最長タイトルの再生を開始することを特徴とする請求項２記載のディスク再生装置。
【請求項４】
再生制御手段は、
本編再生手順において最長タイトルより先に再生することを指示されたビデオタイトルを広告タイトルとみなすとともに、広告タイトルの再生を完了したときにはディスクを識別するディスク識別子を再生済情報エリアに記憶し、
且つ、本編優先指示が入力されたとき、ローディングされているディスクのディスク識別子が再生済情報エリアに記憶されている場合には最長タイトルの再生を開始することを特徴とする請求項２記載のディスク再生装置。
【請求項５】
再生制御手段は、本編優先指示が入力されたとき、ローディングされているディスクのディスク識別子が再生済情報エリアに記憶されていない場合には、禁止された操作であることを示す表示を行うことを特徴とする請求項３または請求項４記載のディスク再生装置。
【請求項６】
リモートコントローラに設けられた本編サーチキーを備え、
再生制御手段は、本編サーチキーが操作されたときには本編優先指示が入力されたとみなすことを特徴とする請求項２から請求項５までのいずれかに記載のディスク再生装置。
【請求項７】
サーチキーの操作によって呼び出されるモードであり、タイトルサーチモードやチャプタサーチモード等を含むサーチモードの１つのモードとして本編サーチモードが設けられ、
再生制御手段は、本編サーチモードに移行したことを示す画面が表示された状態において所定のキー操作が行われたときには本編優先指示が入力されたとみなすことを特徴とする請求項２から請求項５までのいずれかに記載のディスク再生装置。
【発明の詳細な説明】
【０００１】
【発明の属する技術分野】
本発明は、複数のビデオタイトルが記録されるとともに本編再生となるときに再生するビデオタイトルと再生の順序とを示す本編再生手順が記述されたディスクの本編再生を行うときには、本編再生手順により示されるビデオタイトルを本編再生手順により示される順序に従って再生するＤＶＤ再生装置およびディスク再生装置に関するものである。
【０００２】
【従来の技術】
ＤＶＤにおいては、複数のビデオタイトルが記録されている場合、再生するビデオタイトルの順序を指定することができるようになっている。また、ディスクがローディングされた後においては、そのときどきの動作状態に応じて、受け付けを行う操作の種類と、受け付けを行うことなく無視する操作の種類とを記述することができるようになっている。このため、広告タイトルと本編タイトルとが記録され、本編再生時では、広告タイトルの再生の後に本編タイトルの再生を行うように指定するディスクがローディングされた場合、ＤＶＤ再生装置は、ユーザによって本編再生の指示が入力されたときには、ディスクに記述された指定に従って、先ず広告タイトルの再生を行う。そして、広告タイトルの再生が終了した後に本編タイトルの再生を行うようになっている。また、所定のキー操作を行ってタイトルサーチを選択した場合、画面には、ディスクに記録されている全てのビデオタイトルの先頭の画像等がサムネイル表示されるようになっている。そして、サムネイル画像が表示された状態において、サムネイル画像の１つを選択すると、選択されたサムネイル画像に対応するビデオタイトルから再生が開始されるようになっている（第１の従来技術とする）。
【０００３】
また、光ディスクをローディングして再生するとき、光ディスクに設定されているオープニング画面やメニュー画面を表示することなく、本編の映像音声情報を直ちに再生することを可能にする技術が本願出願人により提案されている（第２の従来技術とする）。すなわち、この技術においては、セットアップメニューの設定において、『いきなり再生』という再生方法を選択することができるようになっている。そして、この『いきなり再生』を選択した場合では、光ディスクがローディングされた後に再生キーを操作すると、光ディスクに設定されているオープニング画面やメニュー画面を表示することなく、最初のビデオタイトルに含まれる最初のチャプタから再生を開始するようになっている。従って、『いきなり再生』を選択したときには、所望する本編の映像音声情報を、オープニング画面やメニュー画面の表示が終了するまで待つことなく、直ちに再生させることができるので、所望する本編の映像音声情報が再生されるまで、いらいらしながら待つという煩わしさが解消されることになる（例えば、特許文献１参照）。
【０００４】
また以下に示す技術が提案されている（第３の従来技術とする）。すなわち、この技術においては、チューナによって受信された映像信号を、ＣＭ識別子の有無に応じて、コマーシャルメッセージの映像信号（ＣＭ映像信号）と番組本編の映像信号（本編映像信号）とに区別して記録媒体に記録している。そして、記録した映像信号を再生するときには、以下に示す方法でもって再生を行うようになっている。すなわち、記録した映像信号の単位において、この単位に含まれる全てのＣＭ映像信号の再生が終了したときには、本編映像信号の再生を許可するが、全てのＣＭ映像信号の再生が終了しないうちは、本編映像信号の再生を許可しないようになっている。このため、ＣＭ映像信号と本編映像信号とを含む放送を記録して再生するときにも、ＣＭ映像信号をユーザに必ず見て貰うことができるようになっている。また、ＣＭ映像信号の再生を行ったことを示すフラグは、以後では、保存されるようになっている。このため、一度、ＣＭ映像信号の全ての再生を行うと、２回目以後の再生時では、ＣＭ映像信号を再生することなく、本編映像信号の再生のみを行わせることができるようになっている（例えば、特許文献２参照）。
【０００５】
【特許文献１】
特開２００３−８７７４８号公報
【特許文献２】
特開２００２−３１４９１２号公報
【０００６】
【発明が解決しようとする課題】
しかしながら第１の従来技術を用いた場合には、以下に示す問題を生じていた。すなわち、再生しようとしてローディングしたＤＶＤが、広告タイトルと本編タイトルとが記録され、本編再生を行うときには、広告タイトルの再生の後に本編タイトルの再生を行うように指定するディスクである場合、本編タイトルの再生を指示したときにも、広告の再生が終了しないうちは、本編タイトルの再生が開始されない。このような事態は、このＤＶＤを１回目に再生するときでは、再生される広告に新鮮さがあるため、広告の再生は煩わしくはない。しかし、同じＤＶＤを再びローディングして再生するときでは、広告の新鮮さがないので、広告の再生が煩わしく感じられる。このようなときでは、広告タイトルの再生を早送りすると煩わしさを軽減することができるが、広告再生時の早送り操作が禁止となっているディスクの場合では、回避の方法がない。このため、煩わしいと感じながら、広告の再生が終って本編タイトルの再生が開始されるのを待たなければならない。
【０００７】
また、タイトルサーチの画面を表示した状態において、サムネイル画像から、再生させたいビデオタイトルを選択する場合にあっても、付録映像の数が多くて、ビデオタイトルの総数が多くなるようなときでは、どのサムネイル画像が本編タイトルを示しているのか分からなくなって、タイトルサーチ画面を表示させるときにも、本編タイトルから再生を開始させることが難しくなっている。
【０００８】
第２の従来技術は、上記した第１の従来技術を解消する技術となっているが、例えば、ＤＶＤに記録された複数のビデオタイトルの記録順序が、広告タイトル、広告タイトル、本編タイトルとなっているような場合では、『いきなり再生』を選択して再生を開始した場合であっても、本編タイトルを最初に再生させることができず、広告タイトルの再生が終了して、本編タイトルの再生が開始されるのを待たなければならなかった。
【０００９】
第３の従来技術は、ＣＭ識別子を有するＣＭ映像信号とＣＭ識別子の無い本編映像信号とからなる放送を受信して記録した後、再生を行うときの技術となっている。このため、広告タイトルの再生が終了した後になって本編タイトルが再生されるように、再生の手順が記述されたＤＶＤを再生するときに、広告タイトルの再生が終了して本編タイトルが再生されるのを待つという煩わしさを解消しようとする観点から見るときには、適用することが困難な技術となっている。
【００１０】
本発明は上記課題を解決するため創案されたものであって、その目的は、広告タイトルの再生が終了して後、本編タイトルの再生に移行する手順が記録されているＤＶＤの場合にも、直ちに本編タイトルの再生を開始させることのでき、且つ、広告タイトルの再生を少なくとも１回は行わせることのでき、且つ、本編タイトルを最初に再生させる指示を入力したにもかかわらず、本編タイトルが再生されないことをユーザに納得させることのでき、且つ、本編タイトルを最初に再生させるための操作を簡単化することのでき、且つ、広告タイトルが再生される可能性を高めることのできるＤＶＤ再生装置を提供することにある。
【００１１】
また本発明の目的は、本編タイトルを優先して再生する指示である本編優先指示が入力されたときには、再生時間が最も長いビデオタイトルの再生を最初に行うことにより、広告タイトルの再生が終了して後、本編タイトルの再生に移行する手順が記録されているディスクの場合にも、直ちに本編タイトルの再生を開始させることのできるディスク再生装置を提供することにある。
【００１２】
また上記目的に加え、広告タイトルの再生を少なくとも１回は行わせることのできるディスク再生装置を提供することにある。
【００１３】
また上記目的に加え、本編タイトルを最初に再生させる指示を入力したにもかかわらず、本編タイトルが再生されないことをユーザに納得させることのできるディスク再生装置を提供することにある。
【００１４】
また上記目的に加え、本編タイトルを最初に再生させるための操作を簡単化することのできるディスク再生装置を提供することにある。
【００１５】
また上記目的に加え、リモートコントローラのキースイッチの増加を招くことなく、本編タイトルを最初に再生させる操作を入力することのできるディスク再生装置を提供することにある。
【００１６】
【課題を解決するための手段】
上記課題を解決するため本発明に係るＤＶＤ再生装置は、複数のビデオタイトルが記録されるとともに本編再生となるときに再生するビデオタイトルと再生の順序とを示す本編再生手順が記述されたＤＶＤの本編再生を行うときには、本編再生手順により示されるビデオタイトルを本編再生手順により示される順序に従って再生する再生制御手段を備えたＤＶＤ再生装置に適用している。そして、リモートコントローラに設けられた本編サーチキーと、ＤＶＤに記録された複数のビデオタイトルのうちから再生時間が最も長いビデオタイトルである最長タイトルを検出する最長タイトル検出手段とを備えている。そして、再生制御手段は、本編再生手順において最長タイトルより先に再生することを指示されたビデオタイトルを広告タイトルとみなすとともに、広告タイトルの再生を開始したときにはディスクを識別するディスク識別子を再生済情報エリアに記憶し、且つ、本編サーチキーが操作されたときには、ローディングされているディスクのディスク識別子が再生済情報エリアに記憶されている場合には、本編再生手順において最初に再生することが示されているビデオタイトルが最長タイトルとはなっていないときにも最長タイトルの再生を最初に行うとともに本編タイトルの再生を終了すると広告タイトルの再生に移行し、ローディングされているディスクのディスク識別子が再生済情報エリアに記憶されていない場合には、禁止された操作であることを示す表示を行うようになっている。
【００１７】
すなわち、ディスクに記録された複数のビデオタイトルのうち、再生時間が最も長い最長タイトルは本編タイトルである。従って、本編サーチキーを操作するのみで、最初に本編タイトルが再生される。また、広告タイトルを少なくとも１回は再生して、ディスク識別子を再生済情報エリアに記憶させない限りは、本編タイトルは最初に再生されない。また、本編タイトルを最初に再生しないときには、本編優先指示の入力が禁止された操作となっていることが知らされる。また、本編タイトルの再生が終了しても停止に移行しないときでは、広告タイトルが再生される。
【００１８】
また本発明に係るディスク再生装置は、複数のビデオタイトルが記録されるとともに本編再生となるときに再生するビデオタイトルと再生の順序とを示す本編再生手順が記述されたディスクの本編再生を行うときには、本編再生手順により示されるビデオタイトルを本編再生手順により示される順序に従って再生する再生制御手段を備えたディスク再生装置に適用している。そして、ディスクに記録された複数のビデオタイトルのうちから再生時間が最も長いビデオタイトルである最長タイトルを検出する最長タイトル検出手段を備え、再生制御手段は、本編タイトルを優先して再生する指示である本編優先指示が入力されたときには、本編再生手順において最初に再生することが示されているビデオタイトルが最長タイトルとはなっていないときにも、最長タイトルの再生を最初に行うようになっている。
【００１９】
すなわち、ディスクに記録された複数のビデオタイトルのうち、再生時間が最も長い最長タイトルは本編タイトルである。従って、本編優先指示を入力するときでは、最初に本編タイトルが再生される。
【００２０】
また上記構成に加え、再生制御手段は、本編再生手順において最長タイトルより先に再生することを指示されたビデオタイトルを広告タイトルとみなすとともに、広告タイトルの再生を開始したときにはディスクを識別するディスク識別子を再生済情報エリアに記憶し、且つ、本編優先指示が入力されたとき、ローディングされているディスクのディスク識別子が再生済情報エリアに記憶されている場合には最長タイトルの再生を開始する。すなわち、広告タイトルを少なくとも１回は再生して、ディスク識別子を再生済情報エリアに記憶させない限りは、本編タイトルは最初に再生されない。
【００２１】
また上記構成に加え、再生制御手段は、本編再生手順において最長タイトルより先に再生することを指示されたビデオタイトルを広告タイトルとみなすとともに、広告タイトルの再生を完了したときにはディスクを識別するディスク識別子を再生済情報エリアに記憶し、且つ、本編優先指示が入力されたとき、ローディングされているディスクのディスク識別子が再生済情報エリアに記憶されている場合には最長タイトルの再生を開始する。すなわち、広告タイトルを少なくとも１回は再生して、ディスク識別子を再生済情報エリアに記憶させない限りは、本編タイトルは最初に再生されない。
【００２２】
また上記構成に加え、再生制御手段は、本編優先指示が入力されたとき、ローディングされているディスクのディスク識別子が再生済情報エリアに記憶されていない場合には、禁止された操作であることを示す表示を行う。すなわち、本編優先指示の入力が禁止された操作となっていることが知らされる。
【００２３】
また上記構成に加え、リモートコントローラに設けられた本編サーチキーを備え、再生制御手段は、本編サーチキーが操作されたときには本編優先指示が入力されたとみなすようになっている。すなわち、本編サーチキーを操作するのみで、本編タイトルを最初に再生させることができる。
【００２４】
また上記構成に加え、サーチキーの操作によって呼び出されるモードであり、タイトルサーチモードやチャプタサーチモード等を含むサーチモードの１つのモードとして本編サーチモードが設けられ、再生制御手段は、本編サーチモードに移行したことを示す画面が表示された状態において所定のキー操作が行われたときには本編優先指示が入力されたとみなすようになっている。すなわち、サーチキーは既に設けられたキースイッチとなっている。従って、本編サーチモードに移行したことを示す画面が表示された状態において操作する所定のキーを、既に設けられたキースイッチとする場合では、キースイッチを追加して設ける必要がない。
【００２５】
【発明の実施の形態】
以下に本発明の実施例の形態を、図面を参照しつつ説明する。
図１は、本発明に係るディスク再生装置の第１の実施形態の電気的構成を示すブロック線図であり、具体的にはＤＶＤ再生装置を示している。
【００２６】
図において、ピックアップ９は、ＣＬＶとなるように、スピンドルモータ８によって回転駆動されるＤＶＤ（ディスク）７からデータを読み取る。そして、読み取ったデータを示す信号を信号処理部２に出力する。サーボ制御部１は、信号処理部２から出力されるトラッキングエラー信号とフォーカスエラー信号とに基づいて、ピックアップ９のトラッキングとフォーカシングとのサーボ制御を行う。また、信号処理部２から出力されるクロックに基づいて、スピンドルモータ８の回転速度を制御する。
【００２７】
信号処理部２は、ピックアップ９より出力される信号から、トラッキングエラー信号とフォーカスエラー信号とを生成してサーボ制御部１に出力する。また、同期検出部１１を用いて、ピックアップ９より出力される信号からクロックを生成してサーボ制御部１に出力する。また、生成したクロックを用いてデジタルデータを取り出す。そして後、復調部１２を用いて、同期検出部１１により取り出されたデータを、符号化前のデータに復調する。次いで、エラー訂正部１３を用いて、復調されたデータのエラー訂正を行った後、デコーダ部３に出力する。
【００２８】
デコーダ部３は、信号処理部２から出力されるデータのうち、映像信号を示すデータについては、映像信号デコーダ１５を用いて伸長した後、アナログの映像信号に変換してテレビ受像機３１に出力する。また、信号処理部２から出力されるデータのうち、音声信号を示すデータについては、音声信号デコーダ１６を用いて伸長した後、アナログの音声信号に変換してテレビ受像機３１に出力する。また、オンスクリーンディスプレイ部１７を用いて、必要となる情報を表示するための文字等を示す信号を映像信号に重畳する。また、信号処理部２から出力されるデータから各種の管理情報（後に詳述する）を取り出してマイクロコンピュータ４に出力する。
【００２９】
入力部５は、装置本体の前面パネルに設けられた複数のキースイッチ（図示を省略）や、リモートコントローラ６から送信される赤外線信号を受光する受光ユニット（図示を省略）等を備えており、ユーザからの指示が入力される。そして、入力されたユーザからの指示をマイクロコンピュータ４に送出する。リモートコントローラ６には、数字キーや各種の指示のためのキースイッチが設けられている。また、図２に示したように、カーソルの移動等のための４つの方向キー６３、選択項目が決定されたことを入力するための決定キー６４、複数のサーチモード（後に詳述する）のうち、どのサーチモードを使用するのかを選択するためのサーチキー６１、および、本編サーチキー（このキースイッチの用途については後述する）６２を備えている。
【００３０】
マイクロコンピュータ４は、ＤＶＤ再生装置としての主要動作を制御するためのブロックとなっており、信号処理部２の動作、および、デコーダ部３の動作を制御する。このため、機能の一部として、再生制御手段２０、最長タイトル検出手段２１を構成する。また、不揮発性メモリにより構成されるメモリエリアの一部を用いて再生済情報エリア２２を形成している。
【００３１】
ここで、ＤＶＤ７に記録されたデータについて、図４を参照しつつ説明すると、ＤＶＤ７には、複数のビデオタイトル７２〜７７が記録されるとともに、管理情報７１が記録されている。そして、管理情報７１のうちには、ディスクをその他のディスクから識別するためのディスク識別子、記録されたビデオタイトルの総数を示すタイトル数、ビデオタイトル７２〜７７のそれぞれの再生時間、および、メニュー画面の表示時において本編再生が選択されたとき、等に、複数のビデオタイトル７２〜７７をどのような順序で再生するのかを示す本編再生手順、等の情報が含まれている。
【００３２】
なお、以下における説明では、本編再生手順により示される再生の順序は、広告タイトル７２、広告タイトル７３、本編タイトル７４、付録映像タイトル７５、付録映像タイトル７６、付録映像タイトル７７の順になっているとする。
【００３３】
図１を参照した説明に戻ると、最長タイトル検出手段２１は、管理情報７１に記録されたビデオタイトル７２〜７７の再生時間に基づき、ＤＶＤ７に記録された複数のビデオタイトル７２〜７７のうち、再生時間が最も長いビデオタイトル（以下では、最長タイトルと称する）を検出する（このときでは、本編タイトル７４が最長タイトルとして検出される）。
【００３４】
再生制御手段２０は、メニュー画面が表示された状態において本編再生が選択された時、等のように、本編再生となったときには、複数のビデオタイトル７２〜７７を、本編再生手順により示された順序で再生するための制御を行う。一方、リモートコントローラ６を用いて入力されたユーザの指示が、本編タイトル７４を優先して再生する本編優先指示である場合、本編再生手順において最初に再生することが示されているビデオタイトルが最長タイトルとはなっていないときにも、最長タイトルの再生を最初に行う。
【００３５】
なお、本編優先指示が入力されたとき、本編再生手順において最初に再生することが示されているビデオタイトルが最長タイトルとはなっていないときにも、最長タイトルの再生を最初に行うのは、広告タイトル７２，７３が少なくとも１回は再生されていることが判明している場合となっている。そして、広告タイトル７２，７３が少なくとも１回は再生されていることが判明しない場合、本編優先指示の入力は、禁止された操作であることを示す表示を行う（後に詳述する）。また、第１の実施形態では、再生制御手段２０は、本編サーチキー６２が操作されると、本編優先指示が入力されたと判定するようになっている。
【００３６】
また、再生制御手段２０は、本編再生手順において、最長タイトル（本編タイトル７４）より先に再生することを指示されたビデオタイトル７２，７３を広告タイトルとみなす。そして、広告タイトル７２，７３の再生を開始したとき（例えば、本編再生手順に従ってビデオタイトルの再生を開始したとき、等）では、ＤＶＤ７を識別するディスク識別子を再生済情報エリア２２に記憶することによって、このときローディングされているＤＶＤ７の広告タイトルが、１回は再生されたことを装置内部に記憶する。
【００３７】
また、再生制御手段２０は、本編優先指示が入力されたとき、ＤＶＤ７のディスク識別子が再生済情報エリア２２に記憶されている場合には、広告タイトル７２，７３が、少なくとも１回は再生されているとして、最長タイトルである本編タイトル７４の再生を開始する。しかし、ＤＶＤ７のディスク識別子が再生済情報エリア２２に記憶されていないときには、広告タイトル７２，７３の再生が１回も行われていないことから、広告タイトル７２，７３を飛び越して本編タイトル７４を再生する制御は行わない。
【００３８】
すなわち、再生制御手段２０は、本編優先指示が入力されたときには、本編タイトル７４を最初に再生するように制御を行うが、この制御は、常に行われるようになっている制御ではなく、広告タイトル７２，７３が１回は再生されていることが確認された場合の動作となっている。そして、広告タイトル７２，７３が少なくとも１回は再生されたことが確認されなかった場合には、本編優先指示の入力を、禁止された操作の入力として取り扱うようになっている。つまり、広告タイトル７２，７３については、少なくとも１回は再生されることを保証するようになっている。
【００３９】
再生済情報エリア２２は、図３に示したように、ＤＶＤを識別するためのディスク識別子を記憶するエリアが複数個（本実施形態では１００個）設けられたメモリエリアとなっている。そして、広告タイトルが記録されているＤＶＤ７に関して、本編再生手順に従ってＤＶＤ７を再生した場合、ＤＶＤ７の広告タイトルが再生されたとして、ＤＶＤ７のディスク識別子が記憶される。
【００４０】
なお、再生済情報エリア２２におけるディスク識別子の記憶の方法は、記憶のための空きエリアが無くなった場合、記憶された時刻が最も古いディスク識別子を消去して得られた空きエリアに、新しいディスク識別子を記憶するようにしている。このため、記憶する必要のあるディスク識別子の数が少ないほど、古い時刻に記憶されたディスク識別子も消去されることなく、保存されることになる。このため、広告タイトルが記録されていないＤＶＤ７については、本編再生手順に従った再生を行う場合にも、ディスク識別子を再生済情報エリア２２に記憶しないようになっている。これは、広告タイトルが記録されていない場合には、広告タイトルが少なくとも１回は再生されることを保証する必要がないので、ディスク識別子を記憶する必要がないからである。
【００４１】
図５は、本編優先指示が入力されたときの実施形態の主要動作を示すフローチャートである。必要に応じて同図を参照しつつ、実施形態の動作を説明する。
【００４２】
ＤＶＤ７をトレイ（図示を省略）に載置して、ローディングすると（ステップＳ１）、再生制御手段２０は、ＤＶＤ７から管理情報７１を読み取る。すなわち、ＤＶＤ７のディスク識別子、記録されたビデオタイトルの数、ビデオタイトルのそれぞれの再生時間、およひ、本編再生手順を読み取る（ステップＳ２，Ｓ３）。そして、ビデオタイトルのそれぞれの再生時間から、再生時間が最も長いビデオタイトルである最長タイトルを、本編タイトルとして検出する（ステップＳ４）。
【００４３】
上記状態において、本編サーチキー６２が操作されると、再生制御手段２０は、取得したディスク識別子が、再生済情報エリア２２に記憶されているかどうかを調べる（ステップＳ５，Ｓ６）。そして、取得したディスク識別子が再生済情報エリア２２に記憶されている場合には、広告タイトル７２、７３は、以前において少なくとも１回は再生されたことがあるため、広告タイトル７２、７３を飛び越した再生を行っても良いとして、最長タイトル（本編タイトル７４）の再生を開始する（ステップＳ７，Ｓ９）。そして後、再生制御手段２０は、本編タイトル７４の再生が終了すると、広告タイトル７２、７３の再生を開始する（ステップＳ１０）。このため、広告タイトル７２、７３が再生される可能性が高くなっている。
【００４４】
一方、本編サーチキー６２が操作されたことから、取得したディスク識別子が再生済情報エリア２２に記憶されているかどうかを調べたとき、取得したディスク識別子が再生済情報エリア２２に記憶されていなかった場合、再生制御手段２０は、ＤＶＤ７の広告タイトル７２、７３が、まだ１回も再生されておらず、広告タイトル７２、７３を飛び越して本編タイトル７４を再生することは禁止されているとみなす。このため、再生制御手段２０は、本編サーチキー６２の操作は、禁止された操作であることを示すため、禁止マークをテレビ受像機３１の画面に表示する制御を行う（ステップＳ７，Ｓ８）。
【００４５】
以上が本編サーチキー６２が操作された場合の動作であるが、ＤＶＤ７がローディングされた後（ステップＳ１〜Ｓ４）、ステップＳ５において、本編サーチキー６２とは異なるキースイッチが操作された場合、動作は、ステップＳ５からステップＳ１１に移行して、操作されたキースイッチに対応する動作が実行される。
【００４６】
図６は、ステップＳ１１により示された『その他の処理』を示すフローチャートとなっている。必要に応じて同図を参照しつつ、本編サーチキー６２とは異なるキースイッチが操作された場合の動作について説明する。
【００４７】
操作されたキースイッチが、例えば、メニュー表示キーであり、次いで、本編再生を指示するキー操作が入力された場合、動作は、ステップＳ２１からステップＳ２２に移行する。このため、広告タイトル（本編再生手順において本編タイトルより先に再生することが指示されたビデオタイトル）があるかどうかが調べられる。そして、広告タイトル７２、７３がある場合、再生制御手段２０は、広告タイトル７２から再生を開始する（ステップＳ２３）。また、再生制御手段２０は、広告タイトル７２の再生を開始した時点で、取得したディスク識別子が再生済情報エリア２２に記憶されているかどうかを調べ、記憶されていない場合には、取得したディスク識別子を再生済情報エリア２２に記憶する（ステップＳ２４〜Ｓ２６）。そして後、再生制御手段２０は、本編再生手順に従ったビデオタイトルの再生を継続する（ステップＳ２７）。従って、以後では、広告タイトル７２の再生が継続され、次いで、広告タイトル７３が再生される。そして、広告タイトル７３の再生が終了したときには、本編タイトル７４の再生が開始される。
【００４８】
なお、取得したディスク識別子が、既に再生済情報エリア２２に記憶されていた場合では、動作は、ステップＳ２５からステップＳ２７に移行し、本編再生手順に従ったビデオタイトルの再生が継続される。すなわち、広告タイトル７２の再生が継続され、次いで、広告タイトル７３が再生される。そして、広告タイトル７３の再生が終了したときには、本編タイトル７４の再生が開始される。
【００４９】
また、なお、ＤＶＤ７が、広告タイトルが記録されていないディスクである場合、動作は、ステップＳ２２からステップＳ２８に移行するので、再生制御手段２０は、本編再生手順に従ったビデオタイトルの再生を行うように制御する。また、ステップＳ２１の判定において、本編再生の指示でないことが判明したときには、入力された指示に対応する動作が実行される（ステップＳ２９）。
【００５０】
以上で第１の実施形態についての説明を終了し、以下に、第２の実施形態について説明する。なお、第２の実施形態は、電気的構成として示す場合には、図１に示す構成と同一となる。そして、第１の実施形態との構成における差異は、再生制御手段２０の構成とリモートコントローラ６の構成のみとなっている。このため、第２の実施形態の構成については、第１の実施形態と異なる部分についてのみ説明を行う。
【００５１】
第２の実施形態においては、リモートコントローラ６のキースイッチの増加を抑制し、従来技術におけるリモートコントローラとの併用を可能にするため、リモートコントローラ６に設けられていた本編サーチキー６２が省略されている。このため、本編優先指示の入力方法については、以下に示す方法が採用されている。
【００５２】
すなわち、サーチキー６１によって呼び出されるモードには、５つのモードが用意されている。そのうちの４つのモードは、第１の実施形態においても用意されていたモードであり、複数のビデオタイトル７２〜７７のうちから、再生させるビデオタイトルの指示を可能にするタイトルサーチモード、複数のチャプタのうちから、再生させるチャプタの指示を可能にするチャプタサーチモード、時間によって再生位置を指示するタイムサーチモード、ビデオタイトルに予め付与した目印であるマーカを用いて、再生位置を指示するマーカサーチモードの４つのとなっている。そして、残る１つのモードは、本編優先指示を入力するための本編サーチモードとなっている。
【００５３】
すなわち、サーチキー６１を操作すると、操作する毎に、サーチモードが、タイトルサーチモード、チャプタサーチモード、タイムサーチモード、マーカサーチモード、本編サーチモードと移行する（この後には、再びタイトルサーチモードに移行する）。そして、本編サーチモードとなったときには、図７に示したように、テレビ受像機３１の画面に、本編タイトル７４が直ちに再生されることを示すメッセージが表示される。また、エリア３１１には、本編タイトル７４の最初の画像が縮小表示される。そして、この画面が表示されている状態において決定キー６４を操作すると、本編優先指示が入力されたとみなされる。なお、本編優先指示が入力された場合の動作は、第１の実施形態と同一であるので、詳細な説明を省略する。
【００５４】
一方、ディスク識別子を再生済情報エリア２２に記憶する場合の動作について説明すると、第１の実施形態では、広告タイトル７２の再生を開始した時点で、広告タイトル７２、７３が再生されたものとみなして、ディスク識別子を再生済情報エリア２２に記憶していたが、本実施形態では、広告タイトル７２、７３の再生が完了した時点（本編タイトル７４の再生が開始された時点もよい）で、ディスク識別子を再生済情報エリア２２に記憶するようになっている。
【００５５】
すなわち、図８のフローチャート（図６に示すステップと同じ動作となるステップには、図６における符号と同一符号を付与している）に示したように、第２の実施形態においては、ステップＳ３１，Ｓ３２によって、広告タイトル７２、７３を最後まで再生する。そして後、動作がステップＳ２４に移行し、ローディングされているＤＶＤ７のディスク識別子が再生済情報エリア２２に記憶されているかどうかを調べるようになっている。そして、記憶されていない場合には、ローディングされているＤＶＤ７のディスク識別子を再生済情報エリア２２に記憶する（ステップＳ２４〜Ｓ２６）。そして後、本編タイトル７４の再生を行う（ステップＳ３３）。
【００５６】
ここで、第１の実施形態におけるディスク識別子の記憶方法を用いた場合の問題を説明する。いま、ＤＶＤ７においては、本編再生手順を含む管理情報７１によって、広告タイトル７２、７３の再生中では早送りや停止が禁止され、広告タイトル７２、７３の再生を確実なものとするように設定されているとする。しかし、このようなときであっても、トレイオープンの指示を入力する、電源キーを操作して電源オフにする、等の方法を用いるときには、広告タイトル７２、７３の再生を途中で中断することができる。
【００５７】
そして、上記した方法により広告タイトル７２、７３の再生を中断したときでも、第１の実施形態では、広告タイトル７２、７３が再生されたものとして、ディスク識別子が再生済情報エリア２２に記憶される。従って、広告タイトル７２、７３が一度も再生されなくなると恐れがある。しかし、第２の実施形態を用いる場合（図８に示した記憶方法を用いる場合）では、上記した不都合は解消され、広告タイトル７２、７３が、少なくとも１回は再生されることが確実に保証される。
【００５８】
【発明の効果】
以上説明したように、本発明では、本編サーチキーを操作するのみで、最初に本編タイトルが再生されるようになっている。また、広告タイトルを少なくとも１回は再生して、ディスク識別子を再生済情報エリアに記憶させない限りは、本編タイトルは最初に再生されない。また、本編タイトルを最初に再生しないときには、本編優先指示の入力が禁止された操作となっていることが知らされる。また、本編タイトルの再生が終了しても停止に移行しないときでは、広告タイトルが再生される。このため、広告タイトルの再生が終了して後、本編タイトルの再生に移行する手順が記録されているＤＶＤの場合にも、直ちに本編タイトルの再生を開始させることができ、且つ、広告タイトルの再生を少なくとも１回は行わせることができ、且つ、本編タイトルを最初に再生させる指示を入力したにもかかわらず、本編タイトルが再生されないことをユーザに納得させることができ、且つ、本編タイトルを最初に再生させるための操作を簡単化することができ、且つ、広告タイトルが再生される可能性を高めることができる。
【００５９】
また本発明に係るディスク再生装置は、ディスクに記録された複数のビデオタイトルのうちから再生時間が最も長いビデオタイトルである最長タイトルを検出するとともに、本編タイトルを優先して再生する指示である本編優先指示が入力されたときには、本編再生手順において最初に再生することが示されているビデオタイトルが最長タイトルとはなっていないときにも、最長タイトルの再生を最初に行うようになっている。このため、広告タイトルの再生が終了して後、本編タイトルの再生に移行する手順が記録されているディスクの場合にも、直ちに本編タイトルの再生を開始させることができる。また、タイトルサーチモードが設けられていて、記録された複数のビデオタイトルから任意のビデオタイトルの再生を開始させることができる場合において、ビデオタイトル数が多いため、どのビデオタイトルが本編タイトルとなっているのかが分からないときであっても、間違いなく、最初に本編タイトルの再生を開始させることができる、という効果も併せて得られる。且つ、広告タイトルを再生しないので、トータルの再生時間が少なくなって、バッテリ駆動の場合には、バッテリの消費電力を少なくすることもできる。
【００６０】
また、さらに、広告タイトルの再生を開始したときにはディスクを識別するディスク識別子を再生済情報エリアに記憶し、本編優先指示が入力されたとき、ローディングされているディスクのディスク識別子が再生済情報エリアに記憶されている場合には最長タイトルの再生を開始する。従って、広告タイトルを少なくとも１回は再生して、ディスク識別子を再生済情報エリアに記憶させない限りは、本編タイトルは最初に再生されないので、広告タイトルの再生を、少なくとも１回は行わせることができる。
【００６１】
また、さらに、広告タイトルの再生を完了したときにはディスクを識別するディスク識別子を再生済情報エリアに記憶し、且つ、本編優先指示が入力されたとき、ローディングされているディスクのディスク識別子が再生済情報エリアに記憶されている場合には最長タイトルの再生を開始する。従って、広告タイトルを少なくとも１回は再生して、ディスク識別子を再生済情報エリアに記憶させない限りは、本編タイトルは最初に再生されないので、広告タイトルの最後までの再生を、少なくとも１回は行わせることができる。
【００６２】
また、さらに、本編優先指示が入力されたとき、ローディングされているディスクのディスク識別子が再生済情報エリアに記憶されていない場合には、禁止された操作であることを示す表示を行う。従って、本編優先指示の入力が禁止された操作となっていることが知らされるので、本編タイトルを最初に再生させる指示を入力したにもかかわらず、本編タイトルが再生されないことをユーザに納得させることができる。
【００６３】
また、さらに、リモートコントローラに設けられた本編サーチキーを備え、再生制御手段は、本編サーチキーが操作されたときには本編優先指示が入力されたとみなすようになっている。従って、本編サーチキーを操作するのみで、本編タイトルを最初に再生させることができるので、本編タイトルを最初に再生させるための操作を簡単化することができる。
【００６４】
また、さらに、サーチキーの操作によって呼び出されるサーチモードの１つのモードとして本編サーチモードが設けられ、本編サーチモードに移行したことを示す画面が表示された状態において所定のキー操作が行われたときには本編優先指示が入力されたとみなすようになっている。すなわち、サーチキーは既に設けられたキースイッチとなっている。従って、本編サーチモードに移行したことを示す画面が表示された状態において操作する所定のキーを、既に設けられたキースイッチとする場合では、キースイッチを追加して設ける必要がない。このため、リモートコントローラのキースイッチの増加を招くことなく、本編タイトルを最初に再生させる操作を入力することができる。
【図面の簡単な説明】
【図１】本発明に係るディスク再生装置の実施形態の電気的構成を示すブロック線図である。
【図２】リモートコントローラに設けられたキースイッチを示す説明図である。
【図３】再生済情報エリアを示す説明図である。
【図４】ＤＶＤに記録された管理情報とビデオタイトルとを示す説明図である。
【図５】本編優先指示が入力されたときの実施形態の主要動作を示すフローチャートである。
【図６】ディスク識別子を再生済情報エリアに記憶するときの第１の実施形態の主要動作を示すフローチャートである。
【図７】本編サーチモードとなったときに表示される画面を示す説明図である。
【図８】ディスク識別子を再生済情報エリアに記憶するときの第２の実施形態の主要動作を示すフローチャートである。
【符号の説明】
６  リモートコントローラ
７  ＤＶＤ（ディスク）
２０  再生制御手段
２１  最長タイトル検出手段
２２  再生済情報エリア
６１  サーチキー
６２  本編サーチキー
７２，７３  広告タイトル
７４  本編タイトル
【図１】
2005071419.tif 000003
【図２】
2005071419.tif 000004
【図３】
2005071419.tif 000005
【図４】
2005071419.tif 000006
【図５】
2005071419.tif 000007
【図６】
2005071419.tif 000008
【図７】
2005071419.tif 000009
【図８】
2005071419.tif 000010